(57)【要約】【課題】  回転電機の固定子支持構造を、軽量化が可能で、製造が容易なものとする。【解決手段】  固定子支持構造は、軸を水平とする固定子鉄心１の軸方向両端部に固定されて立設され軸方向にほぼ垂直な方向に延びる２枚の端部押え板７と、端部押え板７の下端を支持する固定子枠底板３およびこの固定子枠底板３に接続されて固定子鉄心１の側面を覆う固定子枠側板４を含む固定子枠２と、を有する。端部押え板７の下端には水平方向に延びる脚板９が溶接によって固定されており、固定子枠底板３は、回転軸より下方で軸方向に平行に延びる２本の固定板５と、固定板５間を接続して水平方向に広がる接続板６とを有する。固定板５の上に脚板取り付け座８が溶接によって固定され、脚板取り付け座８の上に脚板９が配置され、脚板取り付け座８および脚板９がねじ締結具１１、１２によって互いに締め付けられている。【選択図】  図１
2006149084.tif 000002
【特許請求の範囲】
【請求項１】
水平な回転軸の周りに回転する回転子と、
この回転子を囲む固定子鉄心と、
この固定子鉄心の軸方向両端部に固定されて立設され、軸方向にほぼ垂直な方向に延びる２枚の端部押え板と、
前記端部押え板の下端を支持する固定子枠底板およびこの固定子枠底板に接続されて前記固定子鉄心の側面を覆う固定子枠側板を含む固定子枠と、
を有する回転電機であって、
前記端部押え板の下端には水平方向に延びる脚板が溶接によって固定されており、
前記固定子枠底板は、前記回転軸より下方で互いに同一水平面内で回転軸方向に平行に延びる２本の固定板と、これらの固定板間を接続して水平方向に広がり前記固定板よりも薄い接続板とを有し、
前記固定板の上に脚板取り付け座が溶接によって固定され、
この脚板取り付け座の上に前記脚板が配置され、前記脚板取り付け座および脚板がねじ締結具によって互いに締め付けられていること、
を特徴とする回転電機。
【請求項２】
前記固定板、脚板取り付け座および脚板は、前記端部押え板の下方から前記回転軸方向両側に延びており、前記ねじ締結具が前記端部押え板の下方位置を前記回転軸方向にはさんで両側に配置されていること、を特徴とする請求項１に記載の回転電機。
【請求項３】
前記脚板と脚板取り付け座との間に調整用ライナーがはさまれていること、を特徴とする請求項１または２に記載の回転電機。
【請求項４】
前記端部押え板の下端と前記接続板との間、および前記端部押え板の側面と前記固定子枠側板との間に空隙が形成されていること、を特徴とする請求項１ないし３のいずれかに記載の回転電機。
【請求項５】
軸を水平とする固定子鉄心の軸方向両端部に固定されて立設され、軸方向にほぼ垂直な方向に延びる２枚の端部押え板と、
前記端部押え板の下端を支持する固定子枠底板およびこの固定子枠底板に接続されて前記固定子鉄心の側面を覆う固定子枠側板を含む固定子枠と、
を有する回転電機の固定子支持構造であって、
前記端部押え板の下端には水平方向に延びる脚板が溶接によって固定されており、
前記固定子枠底板は、前記回転軸より下方で互いに同一水平面内で軸方向に平行に延びる２本の固定板と、これらの固定板間を接続して水平方向に広がり前記固定板よりも薄い接続板とを有し、
前記固定板の上に脚板取り付け座が溶接によって固定され、
この脚板取り付け座の上に前記脚板が配置され、前記脚板取り付け座および脚板がねじ締結具によって互いに締め付けられていること、
を特徴とする回転電機の固定子支持構造。
【請求項６】
軸を水平とする固定子鉄心と、この固定子鉄心の軸方向両端部に固定される２枚の端部押え板と、前記端部押え板の下端を支持する固定子枠底板およびこの固定子枠底板に接続されて前記固定子鉄心の側面を覆う固定子枠側板を含む固定子枠と、を有する回転電機の製造方法であって、
前記端部押え板の下端に脚板を溶接によって固定する脚板溶接工程と、
前記固定子枠底板を構成する２本の固定板に脚板取り付け座を溶接によって固定する脚板取り付け座溶接工程と、
この脚板取り付け座の上に前記脚板を配置し、前記脚板取り付け座、調整用ライナーおよび脚板をねじ締結具によって互いに締め付ける締結工程と、
を有すること、を特徴とする回転電機の製造方法。
【発明の詳細な説明】
【技術分野】
【０００１】
この発明は、回転電機の固定子鉄心に生ずる振動や騒音が外部に伝達するのを抑制する固定子支持構造および、かかる構造を有する回転電機ならびにその製造方法に関する。
【背景技術】
【０００２】
誘導電動機や発電機などの回転電機の固定子鉄心に生ずる振動や騒音が外部に伝達するのを抑制する構造として、特許文献１の構造が知られている。すなわちこの構造では、固定子枠底板の固定板と固定子鉄心の端部押え板の脚板とがボルトで固定される。そして、固定子鉄心両側の端部押え板の下端と固定子枠底板の接続板との間、および前記端部押え板の側面と固定子枠側板との間に空隙が形成されている。
【特許文献１】特許第３０５３９４７号公報
【発明の開示】
【発明が解決しようとする課題】
【０００３】
特許文献１の構造には次のような課題があった。すなわち、固定子枠底板の固定板と固定子鉄心の端部押え板の脚板とをボルトで固定するために、固定板の厚さを厚くせざるをえず、固定子枠の軽量化が困難であった。また、ボルトでの固定位置が偏っていたため、ボルトによる締結だけでは不充分であって、溶接も必要としていた。さらに、回転電機組立における固定子の芯出しのための高さ調整のさいに、脚板や固定板を削る必要があり、多くの手間がかかっていた。
【０００４】
本発明は、かかる事情に鑑みてなされたものであって、軽量化が可能で、製造が容易な固定子支持構造および、かかる構造を有する回転電機ならびにその製造方法を提供することを目的とする。
【課題を解決するための手段】
【０００５】
上記目的を達成するために、本発明に係る回転電機は、水平な回転軸の周りに回転する回転子と、この回転子を囲む固定子鉄心と、この固定子鉄心の軸方向両端部に固定されて立設され、軸方向にほぼ垂直な方向に延びる２枚の端部押え板と、前記端部押え板の下端を支持する固定子枠底板およびこの固定子枠底板に接続されて前記固定子鉄心の側面を覆う固定子枠側板を含む固定子枠と、を有する回転電機であって、前記端部押え板の下端には水平方向に延びる脚板が溶接によって固定されており、前記固定子枠底板は、前記回転軸より下方で互いに同一水平面内で回転軸方向に平行に延びる２本の固定板と、これらの固定板間を接続して水平方向に広がり前記固定板よりも薄い接続板とを有し、前記固定板の上に脚板取り付け座が溶接によって固定され、この脚板取り付け座の上に前記脚板が配置され、前記脚板取り付け座および脚板がねじ締結具によって互いに締め付けられていること、を特徴とする。
【０００６】
また、本発明に係る回転電機の固定子支持構造は、軸を水平とする固定子鉄心の軸方向両端部に固定されて立設され、軸方向にほぼ垂直な方向に延びる２枚の端部押え板と、前記端部押え板の下端を支持する固定子枠底板およびこの固定子枠底板に接続されて前記固定子鉄心の側面を覆う固定子枠側板を含む固定子枠と、を有する回転電機の固定子支持構造であって、前記端部押え板の下端には水平方向に延びる脚板が溶接によって固定されており、前記固定子枠底板は、前記回転軸より下方で互いに同一水平面内で軸方向に平行に延びる２本の固定板と、これらの固定板間を接続して水平方向に広がり前記固定板よりも薄い接続板とを有し、前記固定板の上に脚板取り付け座が溶接によって固定され、この脚板取り付け座の上に前記脚板が配置され、前記脚板取り付け座および脚板がねじ締結具によって互いに締め付けられていること、を特徴とする。
【０００７】
さらに、本発明に係る回転電機の製造方法は、軸を水平とする固定子鉄心と、この固定子鉄心の軸方向両端部に固定される２枚の端部押え板と、前記端部押え板の下端を支持する固定子枠底板およびこの固定子枠底板に接続されて前記固定子鉄心の側面を覆う固定子枠側板を含む固定子枠と、を有する回転電機の製造方法であって、前記端部押え板の下端に脚板を溶接によって固定する脚板溶接工程と、前記固定子枠底板を構成する２本の固定板に脚板取り付け座を溶接によって固定する脚板取り付け座溶接工程と、この脚板取り付け座の上に前記脚板を配置し、前記脚板取り付け座、調整用ライナーおよび脚板をねじ締結具によって互いに締め付ける締結工程と、を有すること、を特徴とする。
【発明の効果】
【０００８】
本発明によれば、軽量化が可能で、製造が容易な固定子支持構造および、かかる構造を有する回転電機ならびにその製造方法を提供できる。
【発明を実施するための最良の形態】
【０００９】
以下、本発明に係る回転電機の固定子支持構造の実施形態を、図面を参照して説明する。図１は、本発明に係る回転電機の固定子支持構造の一実施形態を示す立断面図であり、図２は図１のＡ−Ａ線矢視部分側断面図である。
【００１０】
固定子鉄心１を支持する固定子枠２は、底面を構成する固定子底板３と、両側面を構成する固定子枠側板４とを有する。固定子鉄心１内に、水平軸周りに回転する回転子（図示せず）が配置される。固定子枠２の軸方向両端には固定子枠端板２０が配置される。この固定子枠端板２０に軸受支持板２１が取り付けられ、軸受支持板２１は、軸受２２を介して回転子を支持する。
【００１１】
固定子鉄心１は、その両端面をそれぞれ端部押え板７で押圧されている。端部押え板７は、直立するほぼ四角形状の板であって、その下部両側それぞれに脚板９が溶接で取り付けられている。脚板９は、端部押え板７の下方位置から軸方向両側に延びている。
【００１２】
固定子底板３は、２本の帯状の板である固定板５と、これらの固定板５に溶接接合された薄板状の接続板６とからなる。固定板５は、回転電機の下方で軸をはさんで軸に平行に延びて回転電機の荷重を支持し、接続板６は２本の固定板５の間をつなぐように水平に延びている。固定板５の上の脚板９と当る部分には脚板取り付け座８があって、固定板５に溶接されている。脚板取り付け座８は、脚板９と対向して、ほぼ脚板９に沿って延びている。さらに、脚板取り付け座８と脚板９との間には調整ライナー１０が配置されている。
【００１３】
脚板取り付け座８にはねじ孔（図示せず）が設けられ、このねじ穴にねじ込まれたボルト１１とナット１２により、脚板取り付け座８上に、調整ライナー１０および脚板９が締め付けられる。ここで、各脚板９は図２に示すように、ボルト１１およびナット１２の位置は、端部押え板７の下方位置の軸方向両側にあり、強固に締結される。
【００１４】
図１に示すように、端部押え板７の両側面と固定子枠側板４の内面とが直接つながらないように、両者の間に隙間１３が設けられている。また、端部押え板７の下面と接続板６とが直接つながらないように、両者の間に隙間１４が形成されている。
【００１５】
また、振動に対して十分な強度を持たせるために、固定子枠側板４の上部に袋構成とした固定子枠補強側板１５が溶接で固着され、固定子枠側板４の剛性が高められている。
【００１６】
固定子枠２の上部には冷却風を循環させるための風道（図示せず）が取り付けられている。
【００１７】
以上説明した実施形態によれば、特許文献１に開示された従来技術と同様に、隙間１３、１４の存在によって、固定子鉄心１から発生した電磁騒音が外部に伝達されるのを抑制できる。
【００１８】
さらに、本実施形態によれば、固定子底板３の固定板５に脚板取り付け座８を溶接し、この脚板取り付け座８と脚板９とをボルト締結するので、固定板と脚板とを直接ボルト締結する特許文献１の技術に比べて、固定板５を薄くすることができる。そのため、固定子枠２全体の軽量化を図ることができる。
【００１９】
さらに、本実施形態によれば、端部押え板７の下方位置を軸方向にはさむ２箇所で脚板９と脚板取り付け座８とをボルト１１とナット１２で締結するので、溶接による補強が不要であり、特許文献１の従来技術に比べて組立作業の省力化を図れる。
【００２０】
さらに、本実施形態によれば、脚板９と脚板取り付け座８との間に調整ライナー１０をはさんでボルト１１とナット１２で締結するので、固定子鉄心１の高さ調整のために脚板９や脚板取り付け座８を削る必要がなく、締結位置の調整が容易である。
【図面の簡単な説明】
【００２１】
【図１】本発明に係る回転電機の固定子支持構造の一実施形態を示す立断面図。
【図２】図１のＡ−Ａ線矢視部分側断面図。
【符号の説明】
【００２２】
１：固定子鉄心
２：固定子枠
３：固定子底板
４：固定子枠側板
５：固定板
６：接続板
７：端部押え板
８：脚板取り付け座
９：脚板
１０：調整ライナー
１１：ボルト
１２：ナット
１３：隙間
１４：隙間
１５：固定子枠補強側板
２０：固定子枠端板
２１：軸受支持板
２２：軸受
【図１】
2006149084.tif 000003
【図２】
2006149084.tif 000004